(57)【要約】【課題】バーナヘッドの外周に板金製の筒状体を備え、この筒状体に形成した炎孔から混合気を噴出させて燃焼させるコンロ用バーナにおいて、強火状態でもリフトを生ずることなく安定した燃焼が行われるようにする。【解決手段】筒状体６２に、五徳に設けられる複数の五徳爪と同一方位の周方向複数箇所を除いて、上下方向に長手のスリット状の主炎孔６４と、主炎孔６４の下側に位置する副炎孔６５とが形成される。五徳爪と同一方位に位置する筒状体６２の部分には、主炎孔６４より小さな五徳炎孔６８のみが形成される。バーナヘッド内に、五徳炎孔６８に向かう混合気の流れを制限する抵抗体６９が設けられる。主炎孔６４の火炎と副炎孔６５の火炎との相互干渉によりリフトが抑制される。また、五徳炎孔６８に達する前に混合気が抵抗体６９により減速され、五徳炎孔６８の火炎のリフトが抑制される。【選択図】図３
2008202866.tif 000002
【特許請求の範囲】
【請求項１】
混合気が供給される環状の内部空間を有するバーナヘッドを備えるコンロ用バーナであって、バーナヘッドは外周に板金製の筒状体を備え、この筒状体に形成した炎孔から混合気を噴出させて燃焼させるものにおいて、
筒状体に、コンロの天板に載置する五徳に設けられる複数の五徳爪と同一方位の周方向複数箇所を除いて、上下方向に長手のスリット状の主炎孔と、主炎孔の下側に位置する、主炎孔より小さな副炎孔とが形成されると共に、五徳爪と同一方位の箇所には、主炎孔より小さな五徳炎孔が形成され、
バーナヘッド内に、五徳炎孔に向かう混合気の流れを制限する抵抗体が設けられることを特徴とするコンロ用バーナ。
【発明の詳細な説明】
【技術分野】
【０００１】
本発明は、混合気が供給される環状の内部空間を有するバーナヘッドを備えるコンロ用バーナに関する。
【背景技術】
【０００２】
従来、この種のコンロ用バーナにおいては、一般的に、バーナヘッドを真鍮等の金属の鋳造品又は鍛造品で構成している。そして、バーナヘッドの外周の周壁部に周方向の間隔を存して複数の炎孔を形成し、バーナヘッドの内部空間に供給された混合気がこれら炎孔から噴出して燃焼するようにしている。
【０００３】
ここで、弱火状態で生じやすい逆火を防止するには、炎孔の幅を狭くすることが必要になる。然し、従来の鋳造品又は鍛造品から成るバーナヘッドでは、炎孔を形成する周壁部が比較的肉厚で、バーナ径方向の炎孔長さが長くなるため、炎孔幅を狭くすると、炎孔の通過抵抗が過大になる。その結果、バーナの内圧が高くなって、一次空気の吸入不良を生ずる。従って、炎孔の幅は然程狭くすることができない。そのため、弱火状態で逆火を生じやすくなり、火力調節範囲を広く確保することが困難になる。
【０００４】
かかる不具合を解消したコンロ用バーナとして、従来、バーナヘッドの外周に板金製の筒状体を設け、この筒状体に上下方向に長手のスリット状の炎孔を形成したものが知られている（例えば、特許文献１参照）。これによれば、バーナ径方向の炎孔長さが極短くなる。そのため、炎孔幅をかなり狭くしても炎孔の通過抵抗は然程大きくならず、一次空気が良好に吸引される。また、このものでは、コンロの天板に載置する五徳に設けられる複数の五徳爪と同一方位に位置する筒状体の周方向複数箇所には、それ以外の部分に形成するスリット状炎孔より小さな炎孔を形成している。これにより、火炎が五徳爪に触れて燃焼不良を生ずることを防止できる。
【０００５】
ところで、板金製の筒状体に形成した炎孔は通過抵抗が小さくなることから、強火状態では混合気の噴出速度が速くなりすぎて火炎のリフトを生じやすくなる。そのため、弱火状態での逆火は防止できても、強火状態では燃焼が不安定になる不具合がある。
【特許文献１】特開２０００−２０５５１８号公報
【発明の開示】
【発明が解決しようとする課題】
【０００６】
本発明は、以上の点に鑑み、弱火状態での逆火を防止できると共に、強火状態でもリフトを生ずることなく安定した燃焼が行われるようにしたコンロ用バーナを提供することをその課題としている。
【課題を解決するための手段】
【０００７】
本発明は、混合気が供給される環状の内部空間を有するバーナヘッドを備えるコンロ用バーナであって、バーナヘッドは外周に板金製の筒状体を備え、この筒状体に形成した炎孔から混合気を噴出させて燃焼させるものにおいて、上記課題を解決するために、筒状体に、コンロの天板に載置する五徳に設けられる複数の五徳爪と同一方位の周方向複数箇所を除いて、上下方向に長手のスリット状の主炎孔と、主炎孔の下側に位置する、主炎孔より小さな副炎孔とが形成されると共に、五徳爪と同一方位の箇所には、主炎孔より小さな五徳炎孔が形成され、バーナヘッド内に、五徳炎孔に向かう混合気の流れを制限する抵抗体が設けられることを特徴とする。
【０００８】
本発明によれば、各炎孔のバーナ径方向の長さが上記従来例と同様に極短くなるため、炎孔幅をかなり狭くしても炎孔の通過抵抗は然程大きくならず、一次空気が良好に吸引される。従って、一次空気不足による燃焼不良を生ずることなく弱火状態での逆火を防止できる。また、主炎孔の下側に副炎孔が形成されているため、強火状態で混合気の噴出速度が速くなっても、主炎孔の火炎と副炎孔の火炎との相互干渉によりリフトが抑制される。
【０００９】
一方、筒状体の五徳爪と同一方位の周方向箇所では、火炎が大きくなって五徳爪に触れることを防止する上で、五徳炎孔の下側に副炎孔は形成できない。そのため、火炎の相互干渉で五徳炎孔の火炎のリフトを抑制することはできない。然し、本発明では、バーナヘッド内に設けた抵抗体により、混合気は五徳炎孔に達する前に減速される。従って、五徳炎孔の火炎のリフトも抑制できる。その結果、バーナの火力を逆火やリフトを生ずることなく広範囲に調節することができる。
【発明を実施するための最良の形態】
【００１０】
図１を参照して、１はコンロ本体、２はコンロ本体１の上面を覆う天板、３はコンロ用バーナを示している。天板２にはバーナ用開口２ａが開設されている。また、天板２上には、バーナ用開口２ａを囲うようにして図示省略した複数の五徳爪を有する五徳が載置される。そして、五徳に載置する被加熱物がバーナ３で加熱される。
【００１１】
図１、図２を参照して、バーナ３は、コンロ本体１内に設置される混合管４と、混合管４の下流端部に一体成形された、天板２のバーナ用開口２ａに挿入されるバーナボディ５と、バーナボディ５上に着脱自在に載置されるバーナヘッド６とで構成される。また、バーナ３には、点火プラグ７と、被加熱物たる調理容器の底面に当接してその温度を検知する鍋底温度センサ８とが付設されている。更に、バーナ用開口２ａの周縁とバーナボディ５との間の隙間から煮こぼれ汁がコンロ本体１内に落下することを防止するため、この隙間を閉塞するカバーリング９がバーナボディ５に外挿されている。
【００１２】
コンロ本体１内には、混合管４の上流端に臨む図示省略したガスノズルが設けられている。そして、ガスノズルからの燃料ガスと混合管４にその上流端から吸込まれる一次空気との混合ガス（混合気）が混合管４内で生成される。バーナボディ５は内筒部５１と外筒部５２とを有する内外２重の筒状に形成されている。混合管４で生成された混合気はバーナボディ５の内筒部５１と外筒部５２との間の空間を介してバーナヘッド６の環状の内部空間に供給される。
【００１３】
バーナヘッド６は、真鍮等の金属の鋳造品又は鍛造品から成るヘッド本体６１と、ヘッド本体６１を囲う外周の板金製筒状体６２とで構成される。ヘッド本体６１は、バーナボディ５上に着座する環状のベース板部６１ａと、ベース板部６１ａの内周から下方にのびてバーナボディ５の内筒部５１に嵌合する下筒部６１ｂと、ベース板部６１ａの内周から上方にのびる上筒部６１ｃとを有する。筒状体６２は、その上端からヘッド本体６１を覆うようにして径方向内方にのびる上フランジ部６２ａを有する。そして、上フランジ部６２ａの内周縁部を上筒部６１ｃの上端部にかしめ付けることで、筒状体６２をヘッド本体６１に固定している。また、筒状体６２は、その下端から径方向外方に張り出す、カバーリング９を上方から覆う下フランジ部６２ｂを有する。下フランジ部６２ｂの外径はカバーリング９より大径である。そのため、煮こぼれ汁は下フランジ部６２ｂを伝って天板２上に落下し、カバーリング９に煮こぼれ汁がかかることはない。
【００１４】
ヘッド本体６１のベース板部６１ａと筒状体６２の上フランジ部６２ａとの間に画成されるバーナヘッド６の環状の内部空間には、ベース板部６１ａに図３に示す如く形成した複数の透孔６３を介して混合気が流入する。ここで、本実施形態のバーナ３は、６個の五徳爪を有する五徳に対応するものである。そして、筒状体６２には、五徳の６個の五徳爪と同一方位に位置する周方向６箇所を除いて、上下方向に長手のスリット状の主炎孔６４とその下側に位置する主炎孔６４より小さな副炎孔６５とが夫々周方向の間隔を存して複数形成されている。
【００１５】
ベース板部６１ａには、所定の１個の五徳爪と同一方位に位置させて、点火プラグ７に臨む点火炎孔６６ａと点火プラグ７に対向するターゲット６６ｂとを有する点火部６６が設けられている。そして、点火部６６の外側に位置する筒状体６２の部分に窓孔６７を開設し、点火炎が窓孔６７から噴出してこれに隣接する主炎孔６４及び副炎孔６５への火移り点火が行われるようにしている。
【００１６】
また、点火部６６に対応する五徳爪以外の５個の五徳爪と同一方位に位置する筒状体６２の周方向５箇所には、主炎孔６４より小さく副炎孔６５より若干大きなスリット状の五徳炎孔６８が周方向の間隔を存して複数形成されている。五徳炎孔６８に形成される火炎は主炎孔６４に形成される火炎に比し小さくなり、五徳爪に火炎が触れて燃焼不良を生ずることが防止される。尚、五徳炎孔６８は、その上端が主炎孔６４の上端より下方に位置するように、筒状体６２の下部に形成されている。これにより、五徳炎孔６８の火炎が五徳爪に触れることをより確実に防止できる。
【００１７】
また、バーナヘッド６内には、五徳炎孔６８に向かう混合気の流れを制限する抵抗体６９が設けられている。具体的には、ベース板部６１ａの上面外周部に、上記５個の五徳爪と同一方位の周方向５箇所に位置させて、抵抗体６９が形成されている。各抵抗体６９は、五徳炎孔６８の形成箇所の周方向両側で筒状体６２に内接するようにベース板部６１ａに立設した一対の仕切板部６９ａ，６９ａと、両仕切板部６９ａ，６９ａ間においてベース板部６１ａに立設した絞り部６９ｂとで構成される。絞り部６９ｂの上端は筒状体６２の上フランジ部６２ａに僅かな隙間を存して対向している。混合気は絞り部６９ｂと上フランジ部６２ａとの間の隙間を経由しないと五徳炎孔６８に流れず、この隙間での絞り効果により五徳炎孔６８に向かう混合気の流れが制限される。
【００１８】
次に、本実施形態の作用について説明する。バーナヘッド６の内部空間に供給された混合気の大部分は主炎孔６４から噴出して燃焼する。ここで、主炎孔６４は板金製の筒状体６２に形成されているため、バーナ径方向の炎孔長さが極短くなる。従って、主炎孔６４の幅をかなり狭くしても、通過抵抗は然程大きくならず、一次空気の吸入不良は生じない。その結果、一次空気不足による燃焼不良を生ずることなく弱火状態での逆火を防止できる。
【００１９】
また、板金製の筒状体６２に形成した主炎孔６４は通過抵抗が小さくなることから、強火状態では混合気の噴出速度が速くなりすぎて火炎のリフトを生じやすくなる。然し、本実施形態では、主炎孔６４の下側に副炎孔６５が形成されているため、主炎孔６４の火炎と副炎孔６５の火炎との相互干渉によりリフトが抑制される。従って、強火状態でも安定して燃焼する。
【００２０】
尚、五徳炎孔６８の形成箇所では、火炎が大きくなって五徳爪に触れることを防止するため、五徳炎孔６８の下に副炎孔を形成できない。従って、火炎の相互干渉でリフトを抑制することはできない。ここで、本実施形態では、バーナヘッド６内に、五徳炎孔６８に向かう混合気の流れを制限する抵抗体６９が設けられているため、混合気は五徳炎孔６８に到達する前に減速される。従って、副炎孔を形成しなくても五徳炎孔６８の火炎のリフトを抑制できる。その結果、バーナ３の火力を逆火やリフトを生ずることなく広範囲に調節できるようになる。
【００２１】
以上、本発明の実施形態について図面を参照して説明したが、本発明はこれに限定されない。例えば、上記実施形態では、ヘッド本体６１をベース板部６１ａを有するものに構成して、ベース板部６１ａの上面外周部に抵抗体６９を立設したが、ヘッド本体６１を筒状体６２の上フランジ部６２ａに対応する上板部を有するものに構成し、この上板部の下面外周部に抵抗体を垂設しても良い。
【図面の簡単な説明】
【００２２】
【図１】本発明の実施形態のバーナを具備するコンロの要部の断面図。
【図２】実施形態のバーナの斜視図。
【図３】実施形態のバーナのバーナヘッドの分解状態の斜視図。
【符号の説明】
【００２３】
２…天板、３…コンロ用バーナ、６…バーナヘッド、６２…筒状体、６４…主炎孔、６５…副炎孔、６８…五徳炎孔、６９…抵抗体。
【図１】
2008202866.tif 000003
【図２】
2008202866.tif 000004
【図３】
2008202866.tif 000005